(57)【要約】【課題】ユーザの目的に応じて空気が吹き出される方向を切り換えることができる空気清浄機を提供する。【解決手段】本体と、本体の上部に取り付けられた風向き切り換えユニットと、を有する空気清浄機であって、本体には、羽根と、羽根の前方のフィルターセットと、羽根を回転させるための羽根用モータと、風向き切り換えユニットを左右首振りさせるための左右首振りモータと、が収容され、風向き切り換えユニットは、前方に前吹出口と、上方に上吹出口と、を有し、風向き切り換えユニットには、風向きを切り換えるための風向き切り換え部材が収容されている。【選択図】図１
2019007674.tif 000002
【特許請求の範囲】
【請求項１】
本体と、前記本体の上部に取り付けられた風向き切り換えユニットと、を有する空気清浄機であって、
前記本体には、羽根と、前記羽根の前方のフィルターセットと、前記羽根を回転させるための羽根用モータと、前記風向き切り換えユニットを左右首振りさせるための左右首振りモータと、が収容され、
前記風向き切り換えユニットは、前方に前吹出口と、上方に上吹出口と、を有し、
前記風向き切り換えユニットには、風向きを切り換えるための風向き切り換え部材が収容されている、
空気清浄機。
【請求項２】
前記羽根および前記フィルターセットは、前記本体内に設けられた送風ケース内に収容され、
前記送風ケースの上面に下側送風ダクトが接続され、前記下側送風ダクトは、前記本体内から前記風向き切り換えユニット内に延在する上側送風ダクトに接続されている、
請求項１に記載の空気清浄機。
【請求項３】
前記本体の天面には、円環状の凹部が設けられ、風向き切り換えユニットの下面には、円環状の凸部が設けられ、
前記凹部および前記凸部は、前記風向き切り換えユニットが、前記本体に対して水平方向に回動可能になるように、互いに嵌合する、
請求項１または２に記載の空気清浄機。
【発明の詳細な説明】
【技術分野】
【０００１】
本発明は、ユーザの目的に応じて空気が吹き出される方向を切り換えることができる空気清浄機に関するものである。
【背景技術】
【０００２】
一般的に、従来の空気清浄機は、吹き出された風がユーザの邪魔にならないように、本体の上面に吹出口が設けられる（例えば特許文献１）。それゆえ、空気は、上方向のみに吹き出されるため、強風運転時でも室内空気の循環が効率的ではなかった。一方、就寝時等、静音性が重視される場合には、空気清浄機は、弱風または微風で運転されると送風機能が弱く、特に夏季には、空気清浄機および扇風機が併用されていた。
【０００３】
また、空気清浄機能を有する扇風機として、扇風機の後ガードの直後にフィルターを取り付ける構造が提案されている（例えば特許文献２）。しかし、このような扇風機では、プロペラファンが用いられているため、風量が不足し、空気清浄機能が劣るものであった。
【先行技術文献】
【特許文献】
【０００４】
【特許文献１】特開２０１７−８０７０７号公報
【特許文献２】特開２０１６−０９８６９９号公報
【発明の概要】
【発明が解決しようとする課題】
【０００５】
本発明は、上述した問題点を解消し、ユーザの目的に応じて空気が吹き出される方向を切り換えることができる空気清浄機を提供することを目的とする。
また、本発明の付随的な目的は、扇風機の機能を有する空気清浄機であって、空気清浄機として使用する場合は、強風を上方向に吹き出し、扇風機として使用する場合は、弱風または微風を前方向に吹き出すことができる空気清浄機を提供することにある。
【課題を解決するための手段】
【０００６】
本発明の要旨は以下の通りである。
本体と、前記本体の上部に取り付けられた風向き切り換えユニットと、を有する空気清浄機であって、
前記本体には、羽根と、前記羽根の前方のフィルターセットと、前記羽根を回転させるための羽根用モータと、前記風向き切り換えユニットを左右首振りさせるための左右首振りモータと、が収容され、
前記風向き切り換えユニットは、前方に前吹出口と、上方に上吹出口と、を有し、
前記風向き切り換えユニットには、風向きを切り換えるための風向き切り換え部材が収容されている。
【０００７】
前記羽根および前記フィルターセットは、前記本体内に設けられた送風ケース内に収容され、
前記送風ケースの上面に下側送風ダクトが接続され、前記下側送風ダクトは、前記本体内から前記風向き切り換えユニット内に延在する上側送風ダクトに接続されている、
ことが好ましい。
【０００８】
前記本体の天面には、円環状の凹部が設けられ、風向き切り換えユニットの下面には、円環状の凸部が設けられ、
前記凹部および前記凸部は、前記風向き切り換えユニットが、前記本体に対して水平方向に回動可能になるように、互いに嵌合する、
ことが好ましい。
【図面の簡単な説明】
【０００９】
【図１】（ａ）は、本発明の第１実施形態の空気清浄機の正面図であり、（ｂ）は、この空気清浄機の平面図である。
【図２ａ】図１（ｂ）のＡ−Ａ断面図である。
【図２ｂ】図１（ｂ）のＡ−Ａ断面図である。
【図３】風向き切り換え部材の斜視図である。
【図４】風向き切り換えユニットの左右首振りを示す図である。
【図５ａ】本発明の第２実施形態の空気清浄機のｙｚ平面の断面図である。
【図５ｂ】本発明の第２実施形態の空気清浄機のｚｘ平面の断面図である。
【発明を実施するための形態】
【００１０】
図１（ａ）は、本発明の第１実施形態の空気清浄機の正面図であり、図１（ｂ）は、この空気清浄機の平面図である。図２（ａ）（ｂ）は、図１（ｂ）のＡ−Ａ断面図である。
第１実施形態の空気清浄機１００は、本体１０と、本体１０の上部に取り付けられた風向き切り換えユニット２０と、を有する。
本体１０には、羽根１１ａ（例えばプロペラファン）と、羽根１１ａの前方のフィルターセット１２と、羽根１１ａを回転させるための羽根用モータ１３と、が収容されている。
フィルターセット１２は、例えば、集塵フィルター（ＪＩＳＺ８１２２に規定するＨＥＰＡフィルターなど）および脱臭フィルター（活性炭など）等から構成される。
【００１１】
本体１０の前面側には、着脱自在の前カバー１４の外周部のほぼ全周にわたり吸込口が形成され、空気は、矢印で示すように吸込口を介して本体１０内に吸い込まれる。
風向き切り換えユニット２０は、前方（ｘ方向）に前吹出口２１と、上方（ｚ方向）に上吹出口２２と、を有する。また、風向き切り換えユニット２０には、風向きを切り換えるための風向き切り換え部材２３が収容されている。
風向き切り換え部材２３が、図２（ａ）に示すように、上吹出口２２を覆う位置にあるとき、本体１０内に吸い込まれ、風向き切り換えユニット２０内に移動した空気は、前吹出口２１から吹き出される。
一方、風向き切り換え部材２３が、図２（ｂ）に示すように、前吹出口２１を覆う位置にあるとき、本体１０内に吸い込まれ、風向き切り換えユニット２０内に移動した空気は、上吹出口２２から吹き出される。
このように、風向き切り換え部材２３の位置を変更することにより、空気清浄機１００から吹き出される空気の方向を切り換えることができる。
なお、前吹出口２１および上吹出口２２には、それぞれの吹出口からの風向きを上下左右に調節するルーバが設けられている。
【００１２】
図３は、風向き切り換え部材の斜視図である。
風向き切り換え部材２３は、円筒形を１／４に切断したような形状であり、前吹出口２１または上吹出口２２を覆う曲面部２３ａと、曲面部２３ａの両側の側面部２３ｂと、側面部２３ｂから外側に延びる軸部２３ｃと、を有する。軸部２３ｃは、風向き切り換えユニット２０の外部まで延在し、調節ノブ２４（図１参照）に接続される。調節ノブ２４を回転することにより、風向き切り換え部材２３の位置を変更し、空気清浄機１００から吹き出される空気の方向を切り換えることができる。
なお、風向き切り換え部材２３の構造は、図示例に限定されるものではない。例えば、曲面部２３ａの曲率は一定でなくてもよいし、側面部２３ｂに開口が設けられていてもよい。
本発明の空気清浄機１００では、風向き切り換えユニット２０に、前吹出口２１および上吹出口２２と、風向き切り換え部材２３と、を設けることにより、ユーザの目的に応じて空気が吹き出される方向を切り換えることができる。
【００１３】
図４は、風向き切り換えユニットの左右首振りを示す図である。
本体１０には、さらに、風向き切り換えユニット２０を左右首振りさせるための左右首振りモータ３０が収容され、風向き切り換えユニット２０は、ｚ軸を中心に左右首振り運転を行う。左右首振りモータ３０ステッピングモータとして、運転時間または回転数を制御することにより、風向き切り換えユニット２０の向き（左右首振り角度）を任意に（例えば、±４５°、±６０°）設定することができる。
【００１４】
図２を再び参照して、左右首振りのための構造を説明する。
本体１０の天面中央および風向き切り換えユニット２０の下面中央には、本体１０および風向き切り換えユニット２０を相互に接続するための円形開口が設けられている。
また、本体１０の開口の外側の天面には、円環状の凹部１０ｒが設けられ、風向き切り換えユニット２０の開口の外側の下面には、円環状の凸部２０ｐが設けられている。凹部１０ｒおよび凸部２０ｐは、風向き切り換えユニット２０が、本体１０に対して水平方向に回動可能になるように、すなわち、左右首振り運転を行うように、互いに嵌合する。
風向き切り換えユニット２０の下面の凸部２０ｐと反対側の面には、外周に歯車を有する従動ギア３１が、凸部２０ｐと同心に取り付けられている。また、左右首振りモータ３０には、外周に歯車を有する駆動ギア３２が取り付けられている。左右首振りモータ３０が回転すると、駆動ギア３２が回転し、さらに、従動ギア３１が回動する。この従動ギア３１の回動に応じて、風向き切り換えユニット２０が回動する（左右首振りする）。
【００１５】
図５（ａ）は、本発明の第２実施形態の空気清浄機のｙｚ平面の断面図であり、図５（ｂ）は、この空気清浄機のｚｘ断面図である。
第２実施形態の空気清浄機２００では、第１実施形態の空気清浄機１００との相違点のみを説明し、第１実施形態の空気清浄機１００と同一の構成要素には同一の符号を付してその説明を省略する。
空気清浄機２００では、羽根１１ｂ（例えばシロッコファン）およびフィルターセット１２は、本体１０内に設けられた送風ケース１５内に収容されている。送風ケース１５の上面に円筒状の下側送風ダクト１６が接続され、下側送風ダクト１６は、本体１０内から風向き切り換えユニット２０内に延在する円筒状の上側送風ダクト２６に接続されている。
このように送風ケース１５、下側送風ダクト１６および上側送風ダクト２６を設けることにより、本体１０内に吸い込まれた風が、十分な風量および風圧を保って、風向き切り換えユニット２０内に移動し、前吹出口２１または上吹出口２２から吹き出されるため有利である。
【００１６】
図５（ｂ）を参照して、左右首振りのための構造を説明する。
上側送風ダクト２６の外側の本体１０の天面には、円環状のベース１０ｂと、ベース１０ｂを支持する円環状のベース支持部１０ｓと、が取り付けられ、円環状のベース１０ｂには、円環状の凹部１０ｒが設けられている。また、上側送風ダクト２６の外側の風向き切り換えユニット２０の下面には、円環状の凸部２０ｐが設けられている。凹部１０ｒおよび凸部２０ｐは、風向き切り換えユニット２０が、本体１０に対して水平方向に回動可能になるように、すなわち、左右首振り運転を行うように、互いに嵌合する。
従動ギア３１は、風向き切り換えユニット２０の下面の凸部２０ｐと反対側の面と、上側送風ダクト２６と、に取り付けられている。左右首振りモータ３０が回転すると、駆動ギア３２が回転し、さらに、従動ギア３１が回動する。この従動ギア３１の回動に応じて、風向き切り換えユニット２０が回動する（左右首振りする）。
なお、左右首振りのための構造は、図２および図５の例に限定されるものではない。例えば、本体１０の天面に円環状の凸部が設けられ、風向き切り換えユニット２０の下面に円環状の凹部が設けられてもよい。
【００１７】
本発明では、空気清浄機として使用する場合は、強風を上方向に吹き出すことにより、ユーザに直接風が当たらず、ユーザに不快感を与えることなく効率的に室内空気を循環することができる。さらに、風向き切り換えユニット２０を左右首振り運転することにより、サーキュレータとしても使用することができる。一方、弱風または微風を前方向に吹き出し、かつ、風向き切り換えユニット２０を左右首振り運転することにより、扇風機としても使用することができる。
以上より、本発明の空気清浄機を用いることにより、空気清浄機および扇風機（またはサーキュレータ）を併用する必要がなくなる。
【符号の説明】
【００１８】
１０    本体
１０ｂ  ベース
１０ｒ  凹部
１０ｓ  ベース支持部
１１    羽根
１２    フィルターセット
１３    羽根用モータ
１４    前カバー
１５    送風ケース
１６    下側送風ダクト
２０    風向き切り換えユニット
２０ｐ  凸部
２１    前吹出口
２２    上吹出口
２３    風向き切り換え部材
２４    調節ノブ
２６    上側送風ダクト
３０    左右首振りモータ
３１    従動ギア
３２    駆動ギア
１００  空気清浄機
２００  空気清浄機
【図１】
2019007674.tif 000003
【図２ａ】
2019007674.tif 000004
【図２ｂ】
2019007674.tif 000005
【図３】
2019007674.tif 000006
【図４】
2019007674.tif 000007
【図５ａ】
2019007674.tif 000008
【図５ｂ】
2019007674.tif 000009
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
本体と、前記本体の上部に取り付けられた風向き切り換えユニットと、を有する空気清浄機であって、
前記本体には、羽根と、前記羽根の前方のフィルターセットと、前記羽根を回転させるための羽根用モータと、前記風向き切り換えユニットを左右首振りさせるための左右首振りモータと、が収容され、
前記風向き切り換えユニットは、前方に前吹出口と、上方に上吹出口と、を有し、
前記前吹出口には、風向きを上下に調節するルーバが設けられ、
前記風向き切り換えユニットには、風向きを切り換えるための風向き切り換え部材が収容され、
前記風向き切り換えユニットは、背面側の壁面が垂直に形成されている、
空気清浄機。
【請求項２】
前記羽根および前記フィルターセットは、前記本体内に設けられた送風ケース内に収容され、
前記送風ケースの上面に下側送風ダクトが接続され、前記下側送風ダクトは、前記本体内から前記風向き切り換えユニット内に延在する上側送風ダクトに接続されている、
請求項１に記載の空気清浄機。
【請求項３】
前記本体の天面には、円環状の凹部が設けられ、風向き切り換えユニットの下面には、円環状の凸部が設けられ、
前記凹部および前記凸部は、前記風向き切り換えユニットが、前記本体に対して水平方向に回動可能になるように、互いに嵌合する、
請求項１または２に記載の空気清浄機。